(57)【特許請求の範囲】
【請求項１】
機前面側を構成する前面部材に、出力部から音を出力するスピーカを備えたスピーカユニットが取り付けられた遊技機において、
前記スピーカユニットは、
前記出力部を前側に向けた姿勢で前記スピーカが収容される収容空間が画成されるケースと、
前記スピーカの出力部と前後に重ならない状態で前記ケースの収容空間に収容され、前面に複数の発光手段を実装した発光基板と、
前記ケースに収容空間を前方へ開口するよう形成され、前記スピーカの出力部の前側において前方に向かうにつれて拡開し、前端の開口寸法が出力部より大きく設定された放音口と、
前記ケースに設けられ、前記前面部材のスピーカ設置部に着脱自在な取着部とを備え、
前記ケースの後端部には、外方に向けて壁部が突設され、該壁部で画成される基板設置部に前記発光基板および前記スピーカから導出する配線が接続される中継基板が設置され、
前記取着部は、前記壁部の突出端部より外方に突出するよう前記ケースの後端部に設けられた第１ネジ固定部を有し、前記スピーカユニットは、前記前面部材の前側にケースの放音口が臨む状態で、前記第１ネジ固定部と前記スピーカ設置部に設けられた第２ネジ固定部とをネジ止め固定することで、該スピーカ設置部に着脱自在に取り付けられるよう構成され、
前記スピーカ設置部の後部には、前記前面部材に配設された装置側に開口する切欠部が形成され、前記中継基板から導出する配線が該切欠部を介して前記装置の基板に接続される
ことを特徴とする遊技機。
【請求項２】
機前面側を構成する前面部材に、出力部から音を出力するスピーカを備えたスピーカユニットが取り付けられた遊技機において、
前記スピーカユニットは、
前記出力部を前側に向けた姿勢で前記スピーカが収容される収容空間が画成されるケースと、
前記スピーカの出力部と前後に重ならない状態で前記ケースの収容空間に収容され、前面に複数の発光手段を実装した発光基板と、
前記ケースに収容空間を前方へ開口するよう形成され、前記スピーカの出力部の前側において前方に向かうにつれて拡開し、前端の開口寸法が出力部より大きく設定された放音口と、
前記ケースに設けられ、前記前面部材のスピーカ設置部に着脱自在な取着部とを備え、
前記取着部は、
前記ケースに設けられた係合部と、
前記ケースに設けられた第１ネジ固定部とを備え、
前記前面部材のスピーカ設置部に、前記係合部と係脱自在に係合する被係合部が設けられると共に、第２ネジ固定部が設けられ、
前記スピーカユニットは、前記前面部材の前側にケースの放音口が臨む状態で、前記スピーカ設置部に対して回転変位することで前記係合部が被係合部に係合すると共に両ネジ固定部が整列する係合位置および係合部が被係合部から係合解除された係合解除位置に変位するよう構成され、
前記スピーカユニットの係合位置で、前記第１ネジ固定部と第２ネジ固定部とをネジ止め固定することで該ユニットがスピーカ設置部に位置決め固定されるよう構成され、
前記ケースに、前記スピーカ設置部に向けて突出すると共にネジ孔が形成された前記第１ネジ固定部が周方向に離間して複数設けられ、前記スピーカ設置部は、第１ネジ固定部が挿入可能なケース側に開放する弧状溝が各第２ネジ固定部に対応して周方向に離間して形成され、前記スピーカユニットの係合解除位置で弧状溝に挿入されている第１ネジ固定部は、該ユニットの係合位置で弧状溝の端縁に当接して、前記第２ネジ固定部に設けたネジ挿通用の通孔に前記ネジ孔が整合する位置に位置決めされる
ことを特徴とする遊技機。
【発明の詳細な説明】
【技術分野】
【０００１】
本発明は、スピーカユニットを設けた遊技機に関するものである。
【背景技術】
【０００２】
代表的な遊技機であるパチンコ機は、前後に開口する矩形枠状に形成されて遊技店の設置枠台に固定される固定枠としての外枠と、該外枠に対して開閉可能に支持されて遊技盤を着脱可能に保持する本体枠としての中枠と、該中枠の前側に開閉可能に支持されてパチンコ機前面を装飾すると共に遊技盤を透視保護する装飾枠としての前枠とを基本的に備えている。またパチンコ機では、前記遊技盤の盤面に画成した遊技領域の略中央位置に枠状の装飾部材(所謂センター役物)が配設されて、該装飾部材の開口から液晶式やドラム式等の図柄表示装置を臨ませ、この図柄表示装置で図柄組み合わせゲームやリーチ演出等の遊技演出を行なうよう構成されている。
【０００３】
前記パチンコ機では、各種効果音を出力するスピーカを配設すると共に、該スピーカの近傍に発光手段を配設し、図柄表示装置で行なわれる遊技演出に合わせて各種効果音をスピーカから出力すると共に発光手段を点滅等することで、遊技の臨場感や興趣を高めるようにしている(例えば、特許文献１参照)。
【先行技術文献】
【特許文献】
【０００４】
【特許文献１】特開２００３−１２６３３８号公報
【発明の概要】
【発明が解決しようとする課題】
【０００５】
特許文献１に開示の遊技機では、スピーカの出力部の前側に発光基板を配設し、該基板に形成した複数のスリットから音を放出するようにしているため、該スリットの形状や開口寸法等によって音量や音質が低下する問題が指摘される。また、遊技機を構成する前面パネルに対してスピーカおよび発光基板を個別に組み付けるようになっているので、組み付け工数が多くなる難点もある。
【０００６】
すなわち本発明は、従来の技術に内在する前記問題に鑑み、これらを好適に解決するべく提案されたものであって、スピーカの音量や音質を低下することなく発光演出を行ない得る遊技機を提供することを目的とする。
【０００７】
前記課題を克服し、所期の目的を達成するため、本願の請求項１に係る発明は、
機前面側を構成する前面部材(15)に、出力部(35a)から音を出力するスピーカ(35)を備えたスピーカユニット(33,34,77)が取り付けられた遊技機において、
前記スピーカユニット(33,34,77)は、
前記出力部(35a)を前側に向けた姿勢で前記スピーカ(35)が収容される収容空間(S1)が画成されるケース(36)と、
前記スピーカ(35)の出力部(35a)と前後に重ならない状態で前記ケース(36)の収容空間(S1)に収容され、前面に複数の発光手段(37a)を実装した発光基板(38)と、
前記ケース(36)に収容空間(S1)を前方へ開口するよう形成され、前記スピーカ(35)の出力部(35a)の前側において前方に向かうにつれて拡開し、前端の開口寸法が出力部(35a)より大きく設定された放音口(43a)と、
前記ケース(36)に設けられ、前記前面部材(15)のスピーカ設置部(62,63)に着脱自在な取着部(39)とを備え、
前記ケース(36)の後端部には、外方に向けて壁部(59)が突設され、該壁部(59)で画成される基板設置部(60)に前記発光基板(38)および前記スピーカ(35)から導出する配線(55)が接続される中継基板(61)が設置され、
前記取着部(39)は、前記壁部(59)の突出端部より外方に突出するよう前記ケース(36)の後端部に設けられた第１ネジ固定部(57)を有し、前記スピーカユニット(33,34,77)は、前記前面部材(15)の前側にケース(36)の放音口(43a)が臨む状態で、前記第１ネジ固定部(57)と前記スピーカ設置部(62,63)に設けられた第２ネジ固定部(66)とをネジ止め固定することで、該スピーカ設置部(62,63)に着脱自在に取り付けられるよう構成され、
前記スピーカ設置部(62,63)の後部には、前記前面部材(15)に配設された装置(31)側に開口する切欠部(75)が形成され、前記中継基板(61)から導出する配線が該切欠部(75)を介して前記装置(31)の基板に接続されることを要旨とする。
【０００８】
請求項１に係る発明によれば、スピーカの音量や音質を低下することなくスピーカユニットを光で装飾して演出効果を高めることができる。また、スピーカと発光手段とをケースに収容してユニット化したので、該スピーカと発光手段とを前面部材に簡単に取り付けることができる。更に、スピーカユニットに配設した中継基板から導出する配線を、切欠部を介して後方に延出することなく前面部材に配設された装置の基板に接続できる。
【００１１】
前記課題を克服し、所期の目的を達成するため、本願の請求項２に記載の発明は、
機前面側を構成する前面部材(15)に、出力部(35a)から音を出力するスピーカ(35)を備えたスピーカユニット(33,34,77)が取り付けられた遊技機において、
前記スピーカユニット(33,34,77)は、
前記出力部(35a)を前側に向けた姿勢で前記スピーカ(35)が収容される収容空間(S1)が画成されるケース(36)と、
前記スピーカ(35)の出力部(35a)と前後に重ならない状態で前記ケース(36)の収容空間(S1)に収容され、前面に複数の発光手段(37a)を実装した発光基板(38)と、
前記ケース(36)に収容空間(S1)を前方へ開口するよう形成され、前記スピーカ(35)の出力部(35a)の前側において前方に向かうにつれて拡開し、前端の開口寸法が出力部(35a)より大きく設定された放音口(43a)と、
前記ケース(36)に設けられ、前記前面部材(15)のスピーカ設置部(62,63)に着脱自在な取着部(39)とを備え、
前記取着部(39)は、
前記ケース(36)に設けられた係合部(58)と、
前記ケース(36)に設けられた第１ネジ固定部(57)とを備え、
前記前面部材(15)のスピーカ設置部(62,63)に、前記係合部(58)と係脱自在に係合する被係合部(69,70)が設けられると共に、第２ネジ固定部(66)が設けられ、
前記スピーカユニット(33,34,77)は、前記前面部材(15)の前側にケース(36)の放音口(43a)が臨む状態で、前記スピーカ設置部(62,63)に対して回転変位することで前記係合部(58)が被係合部(69,70)に係合すると共に両ネジ固定部(57,66)が整列する係合位置および係合部(58)が被係合部(69,70)から係合解除された係合解除位置に変位するよう構成され、
前記スピーカユニット(33,34)の係合位置で、前記第１ネジ固定部(57)と第２ネジ固定部(66)とをネジ止め固定することで該ユニット(33,34)がスピーカ設置部(62,63)に位置決め固定されるよう構成され、
前記ケース(36)に、前記スピーカ設置部(62,63)に向けて突出すると共にネジ孔(57a)が形成された前記第１ネジ固定部(57)が周方向に離間して複数設けられ、前記スピーカ設置部(62,63)は、第１ネジ固定部(57)が挿入可能なケース(36)側に開放する弧状溝(71a)が各第２ネジ固定部(66)に対応して周方向に離間して形成され、前記スピーカユニット(33,34)の係合解除位置で弧状溝(71a)に挿入されている第１ネジ固定部(57)は、該ユニット(33,34)の係合位置で弧状溝(71a)の端縁に当接して、前記第２ネジ固定部(66)に設けたネジ挿通用の通孔(66a)に前記ネジ孔(57a)が整合する位置に位置決めされることを要旨とする。
請求項２に係る発明によれば、スピーカの音量や音質を低下することなくスピーカユニットを光で装飾して演出効果を高めることができる。また、スピーカと発光手段とをケースに収容してユニット化したので、該スピーカと発光手段とを前面部材に簡単に取り付けることができる。更に、スピーカユニットを確実に位置決めし得る。
【発明の効果】
【００１２】
本発明に係る遊技機によれば、スピーカの音量や音質を低下することなくスピーカユニットを光で効果的に装飾することができる。
【図面の簡単な説明】
【００１３】
【図１】本発明の好適な実施例に係るパチンコ機を示す正面図である。
【図２】実施例のパチンコ機を、中枠に対して前枠を開放した状態で示す概略斜視図である。
【図３】図１のＡ−Ａ線で示す要部断面図である。
【図４】図１のＢ−Ｂ線で示す要部断面図である。
【図５】実施例の前枠の前上枠部からスピーカユニットおよび第１装飾カバーを分解して前側から見た状態で示す概略斜視図である。
【図６】実施例の前枠の前上枠部から、スピーカユニットおよび第１装飾カバーを分解して後側から見た状態で示す概略斜視図である。
【図７】実施例の第２スピーカユニットの正面図である。
【図８】図７のＣ−Ｃ線断面図である。
【図９】実施例の第２スピーカユニットを分解して前側から見た状態で示す概略斜視図である。
【図１０】実施例の第２スピーカユニットを分解して後側から見た状態で示す概略斜視図である。
【図１１】実施例の第２スピーカ設置部を示す正面図であって、(ａ)は全体を示し、(ｂ)は(ａ)のＸ部の拡大図である。
【図１２】実施例の第２スピーカ設置部を前側から見た概略斜視図であって、(ａ)は第２スピーカ設置部の全体を示し、(ｂ)は(ａ)のＹ部を拡大して示し、(ｃ)は(ａ)のＺ部を左側から見た状態で拡大して示している。
【図１３】実施例の第２スピーカ設置部を後側から見た概略斜視図である。
【図１４】実施例の第１スピーカ設置部を前側から見た概略斜視図である。
【図１５】実施例の第１スピーカ設置部を後側から見た概略斜視図である。
【図１６】実施例の第２スピーカ設置部に第２スピーカユニットを取り付けた状態で示す概略斜視図である。
【図１７】実施例の第２スピーカ設置部に第２スピーカユニットを取り付けた状態で示す横断平面図である。
【図１８】別実施例に係るスピーカユニットを分解して示す要部概略断面図である。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。なお、以下の説明では、「前」、「後」、「左」、「右」とは、特に断りのない限り、図１に示すようにパチンコ機１０を正面側(遊技者側)から見た状態で指称するものとする。
【実施例】
【００１５】
(パチンコ機１０について)
実施例に係るパチンコ機１０は、図１または図２に示すように、前後に開口する矩形枠状に形成されて遊技店の図示しない設置枠台に縦置き姿勢で設置される固定枠としての外枠１１の開口前面側に、遊技盤１２を着脱可能に保持する本体枠としての中枠１３が開閉および着脱可能に組み付けられて、該遊技盤１２の裏側に、各種図柄を変動表示可能な図柄表示装置１４が着脱可能に配設されている。また、前記中枠１３の前面側には、前記遊技盤１２を透視保護するガラス板や透明な合成樹脂材により形成された透明部材３０で前後に開口する窓口１５ａを覆うよう構成された装飾枠としての前枠(機前面側を構成する前面部材)１５が開閉可能に組み付けられる。前枠１５の下部位置には、パチンコ球を貯留する上球受け皿１６および下球受け皿１７が上下に離間して前枠１５と一体的に開閉可能に設けられている。また前枠１５には、下球受け皿１７の側方に、前記中枠１３に配設された打球発射装置１８を作動する操作ハンドル１９が設けられ、該操作ハンドル１９の回動操作によって打球発射装置１８が作動されて、前記上球受け皿１６に貯留されたパチンコ球が前記遊技盤１２に向けて発射されるようになっている。なお、実施例では、前記図柄表示装置１４としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。
【００１６】
(外枠１１および中枠１３について)
前記外枠１１は、４つの枠部材を相互に組み付けることで縦長の矩形枠体として構成されるものであって、該外枠１１に対して前記中枠１３は、後述する中第１側枠部２３側が、ヒンジ機構２０を介して開閉および着脱自在に支持され、外枠１１に対して中枠１３を閉成することで、該外枠１１の内側に中枠１３が収容されるよう構成される。図２に示すように、前記中枠１３は、上縁をなす中上枠部２１と、下縁をなし、下部スピーカ２７、打球発射装置１８、各種制御装置(図示せず)等を設置する設置部として機能する中下枠部２２と、左縁(一方の側縁)をなす中第１側枠部２３と、右縁(他方の側縁)をなす中第２側枠部２４とから構成されて、これら上下左右の枠部２１,２２,２３,２４を組み付けた際に、全体が外枠１１の開口領域に整合する大きさに形成される。そして、外枠１１に対して中枠１３は、中第１側枠部２３がヒンジ機構２０を介して回動自在に支持され、外枠１１に対して中枠１３を中第１側枠部２３側を中心として回動して閉成することで、外枠１１の内側に中枠１３が収容されるよう構成される。中枠１３の中第２側枠部２４には施錠装置(図示せず)が設けられ、外枠１１に対して中枠１３を閉成した状態で、該施錠装置により中第２側枠部２４が外枠１１に対して施錠されるようになっている。また、中枠１３には、上下左右の枠部２１,２２,２３,２４を組み付けることで前後に開口する遊技盤保持部２５が画成され、該遊技盤保持部２５に遊技盤１２が着脱自在にセット保持される。実施例では、上下の枠部２１,２２が合成樹脂材で成形されると共に、左右の側枠部２３,２４はアルミ等の金属材により成形されて、中枠１３全体としての剛性を確保しつつ軽量化が図られている。
【００１７】
(遊技盤１２について)
前記遊技盤１２は、合板等の木製板部材の表面にセル板を配設したもの、あるいはアクリル板等の透明な合成樹脂材等からなる平板状の板部材で構成される。遊技盤１２の前面には、案内レール２６によって遊技領域１２ａが画成され、前記中枠１３に配設された打球発射装置１８から発射されたパチンコ球が遊技領域１２ａ内に打ち出され、該遊技領域１２ａ内をパチンコ球が流下して遊技が行なわれる。また遊技盤１２の前面には、図１,図２では図示省略してあるが、遊技領域１２ａ内に枠状装飾部材、パチンコ球が入賞可能な始動入賞装置、特別入賞装置、普通入賞装置等の各種入賞装置および多数本の遊技釘や風車等の各種遊技部品が配設されている。遊技盤１２の裏側には、図柄表示装置１４、可動演出装置および発光装置等の各種の遊技部品が配設される合成樹脂材で形成された設置部材(図示せず)が配設される。そして、設置部材に形成された前後に開口する開口部および枠状装飾部材に形成した窓口を介して図柄表示装置１４の表示部を前面側から視認し得るよう構成されている。
【００１８】
前記始動入賞装置には、遊技領域１２ａを流下するパチンコ球が入賞可能な始動入賞口が設けられ、該始動入賞口へ入賞したパチンコ球が始動入賞センサ(図示せず)で検出されることで、図柄表示装置１４の表示部で図柄変動が開始されると共に、所定数(例えば５個)のパチンコ球が賞球として前記上下の球受け皿１６,１７に払い出される。また、前記特別入賞装置は、入賞口が開閉扉で常には閉鎖されており、前記図柄表示装置１４での図柄変動の結果、図柄表示装置１４に所定の図柄組み合わせ(例えば同一図柄の三つ揃い等)で図柄が停止表示されることで所謂「大当り」が発生し、これにより開閉扉が開放するよう作動制御されて、入賞口への入賞により多数の賞球を獲得し得る機会が遊技者に与えられるようになっている。
【００１９】
(前枠１５について)
前記前枠１５は、図２に示す如く、全体が合成樹脂により前記中枠１３の外形サイズに成形され、前記遊技盤１２の遊技領域１２ａを前側から視認し得る前記窓口(可視部)１５ａを開設した本体部２８と、該本体部２８の裏側に配設された金属製のベース部材２９とを備え、該ベース部材２９の裏側に保持した透明部材３０(図３,図４参照)によって遊技盤１２の遊技領域１２ａを透視可能に保護するよう構成される。本体部２８は、上縁をなす前上枠部２８ａと、下縁をなす前下枠部２８ｂと、左縁(一方の側縁)をなす前第１側枠部２８ｃと、右縁(他方の側縁)をなす前第２側枠部２８ｄが一体的に成形され、前下枠部２８ｂの前面に前記上下の球受け皿１６,１７が設けられている。そして、中枠１３に対して前枠１５は、前第１側枠部２８ｃがヒンジ機構７４を介して回動自在に支持され、中枠１３に対して前枠１５を前第１側枠部２８ｃ側を中心として回動して閉成することで、中枠１３の前側が前枠１５で覆われる。また、中枠１３に対して前枠１５を閉成した状態で、前記施錠装置を利用して前第２側枠部２８ｄが中枠１３に対して施錠されるようになっている。なお、実施例では前枠１５に上下の球受け皿１６,１７を一体的に設けるようにしたが、下球受け皿１７を中枠１３に対して開閉自在に配設する構成を採用し得る。
【００２０】
前記前枠１５の前上枠部２８ａに、後述するスピーカユニット３３,３４および第１照明装置３１が配設されると共に、左右の側枠部２８ｃ,２８ｄに、第２照明装置３２が夫々配設されている(図１参照)。第１照明装置３１は、前上枠部２８ａに着脱自在に配設された光透過性の第１装飾カバー７２(後述)で覆われると共に、各第２照明装置３２は、対応する側枠部２８ｃ,２８ｄに着脱自在に配設された光透過性の第２装飾カバー７３で覆われている。そして、第１装飾カバー７２と、左右の第２装飾カバー７３,７３と前下枠部２８ｂの上縁とによって、前記窓口１５ａが画成される。
【００２１】
(前上枠部２８ａについて)
前記第１照明装置３１は、図１,図５,図６に示す如く、前上枠部２８ａの中央部に設けられ、該第１照明装置３１を挟む左右両側の前上枠部２８ａ(窓口１５ａの外側であって本体部２８の上側角隅部)に、後述するスピーカ設置部６２,６３が設けられ、該スピーカ設置部６２,６３にスピーカユニット３３,３４が着脱自在に取り付けられるよう構成される。実施例では、後述するように、スピーカ設置部６２,６３に対してスピーカユニット３３,３４を回転変位することで着脱し得るようになっている。なお、スピーカ設置部６２,６３の構成を説明する前に、該スピーカ設置部６２,６３に取り付けられるスピーカユニット３３,３４の構成について説明する。
【００２２】
(スピーカユニット３３,３４について)
前記前枠１５の各スピーカ設置部６２,６３に取り付けられる左右のスピーカユニット３３,３４の構成は基本的には左右対称であるので、右側のスピーカ設置部６３に取り付けられる右側のスピーカユニット３４の構成について説明し、左側のスピーカユニット３３の同一部品および部位には同じ符号を付して詳細説明は省略する。なお、左右のスピーカユニット３３,３４を区別する場合は、左側のスピーカユニット３３を第１スピーカユニット３３と指称すると共に、右側のスピーカユニット３４を第２スピーカユニット３４と指称するものとする。また、左右のスピーカ設置部６２,６３についても、区別する場合は左側のスピーカ設置部６２を第１スピーカ設置部６２と指称すると共に、右側のスピーカ設置部６３を第２スピーカ設置部６３と指称するものとする。
【００２３】
図９および図１０に示す如く、前記第２スピーカユニット３４は、出力部３５ａから音を出力するスピーカ３５と、出力部３５ａを前側に向けた姿勢で前記スピーカ３５が収容される収容空間Ｓ１が画成されるケース３６と、該ケース３６の収容空間Ｓ１に収容され、複数の発光手段としてのＬＥＤ３７ａ,３７ｂを実装した発光基板３８と、前記ケース３６に形成されて収容空間Ｓ１を前方へ開口する放音口４３ａと、前記ケース３６に設けられ、前記前枠１５の第２スピーカ設置部６３に着脱自在なケース取着部(取着部)３９とを基本的に備える。そして、第２スピーカユニット３４は、図３,図４,図１７等に示す如く、前記前枠１５の前側にケース３６の放音口４３ａが臨む状態で、前記ケース取着部３９を介して第２スピーカ設置部６３に着脱自在に取り付けられる。
【００２４】
前記スピーカ３５は、図９に示す如く、四角形状に形成された取付板３５ｂの中央に円形の出力部３５ａが設けられると共に、該取付板３５ｂの前面に、出力部３５ａを囲むように環状に区画壁３５ｃが立設されている。また、取付板３５ｂの４つの角部の夫々に、後述する取付部材４７に対する固定用の通孔３５ｄが、前後方向に貫通して形成されている。
【００２５】
(ケース３６の前カバー体４０について)
前記ケース３６は、光透過性の前カバー体４０と、同じく光透過性の後カバー体４１とを前後の関係で組み付けることで構成されて、前カバー体４０と後カバー体４１との間に前記収容空間Ｓ１が画成される。前カバー体４０は、図３,図４,図８,図１７に示す如く、収容空間Ｓ１に収容されたスピーカ３５の前側を覆うよう配置されたものであって、後端側においてスピーカ３５の外形より大きく開口するよう形成され、該スピーカ３５の前端を囲繞する筒状の外壁４２と、該外壁４２の内側に設けられ、後端から前端に向かうにつれて外壁４２との離間間隔が漸次小さくなって該外壁４２の前端に接続する筒状の内壁４３とを備える。そして、前カバー体４０の内壁４３によって、前記放音口４３ａが画成される。この放音口４３ａは、スピーカ３５の出力部３５ａの前側において前方に向かうにつれて拡開するよう延在すると共に前後で開口し、前端の開口寸法が出力部３５ａより大きく設定されている。実施例では、内壁４３を内側に向けて凸となるように湾曲形成することで、前方に向かうにつれて拡開する略ホーン形の放音口４３ａを画成している。
【００２６】
前記前カバー体４０の外壁４２および内壁４３に光拡散処理が施され、後述する第１ＬＥＤ３７ａから照射された光を両壁４２,４３によって拡散して、スピーカ３５の周囲を光によって効果的に装飾し得るよう構成される。また図１０に示す如く、外壁４２の内側に、ネジ孔４２ａを形成したが固定ボス４２ｂが周方向に離間して複数設けられると共に、該外壁４２の後端には、周方向の一部(実施例では下側)に後方に突出する位置決め部４２ｃが形成されている。更に、前カバー体４０の外周には、前記第１装飾カバー７２の後述するスピーカ用開口部７２ａの内周面との当接部に沿って弾性変形可能な材料(実施例ではゴム)からなるパッキン４４が被覆されており、前カバー体４０と第１装飾カバー７２との間の密封性を確保するよう構成してある。
【００２７】
(ケース３６の後カバー体４１について)
前記後カバー体４１は、図９に示す如く、前側に開口すると共に後側に向かうにつれて径が小さくなる略半紡錘形状に形成されると共に、該後カバー体４１の前部には、径方向外方に延出するフランジ４５が設けられている。このフランジ４５には、前記前カバー体４０の各固定ボス４２ｂのネジ孔４２ａと対応する位置に通孔４５ａが形成されており、該通孔４５ａに後側から挿通したネジ(図示せず)を対応する固定ボス４２ｂのネジ孔４２ａに螺挿することで、両カバー体４０,４１が固定されるようになっている。なお、両カバー体４０,４１は、前記スピーカ３５および発光基板３８が取り付けられる後述する取付部材４７を挟持した状態でネジ止め固定される。また、前記フランジ４５には、取付部材４７に対する位置決め用の位置決め凹部４５ｂが周方向に離間して複数(実施例では２つ)形成してある。
【００２８】
前記後カバー体４１には光拡散処理が施されており、後述する第２ＬＥＤ３７ｂから照射された光を拡散して、スピーカ３５の周囲を光によって効果的に装飾し得るよう構成される。なお、前記前カバー体４０および後カバー体４１に施される光拡散処理については、両カバー体４０,４１で同一種の光拡散処理を施すものであっても、異なる光拡散処理を施すものであってもよく、両カバー体４０,４１で異なる光拡散処理を施した場合は、各カバー体４０,４１での明輝の態様が異なることによってより興趣の高い発光演出を行ない得る。
【００２９】
前記後カバー体４１には、前記収容空間Ｓ１を外部に開放する音響用開口部(開口部)４１ａが複数開設されている。この音響用開口部４１ａは、図３,図４に示す如く、第２スピーカユニット３４を前枠１５の対応する第２スピーカ設置部６３に取り付けた状態で、前記前上枠部２８ａと第１装飾カバー７２とにより画成される音響空間Ｓ２に連通する位置に設けられる。実施例では、前記音響用開口部４１ａは後カバー体４１の上部側に偏った位置に開設されている。より具体的には、後カバー体４１に設けた後述する第１係合片５８ａと第２係合片５８ｂとの間の壁部分に、周方向に離間して複数の音響用開口部４１ａが開設されている。また、隣り合う音響用開口部４１ａ,４１ａを区画している画壁４６は、図５,図６,図３,図４等に示す如く、前後方向の中間が屈曲するよう形成されて、音響用開口部４１ａを形成することでの強度低下を抑制するよう構成してある。なお、前記画壁４６における屈曲部４６ａより後側に画成される段差部は、第２スピーカユニット３４の外側を引き回される配線(図示せず)の逃し部として機能するようになっている。
【００３０】
(取付部材４７について)
前記前カバー体４０と後カバー体４１とで挟持される取付部材４７は、図９,図１０に示す如く、リング状に形成された光透過性のリング体であって、該取付部材４７の中心通孔４７ａの内径は、前記スピーカ３５の出力部３５ａの直径より大きく設定される。また、取付部材４７の後面には、後方に突出すると共にネジ孔４８ａが形成されたスピーカ取着部４８が周方向に離間して複数(実施例では４つ)形成される。更に、取付部材４７の後面には、前記スピーカ３５の取付板３５ｂにおける４辺に対応する位置の夫々にスピーカ用位置決め突起４９が突設されている。そして、前記スピーカ３５の出力部３５ａを取付部材４７の中心通孔４７ａに臨ませると共に前記取付板３５ｂの各辺にスピーカ用位置決め突起４９を当接した状態で、該取付板３５ｂに設けた前記通孔３５ｄに挿通したネジ(図示せず)をスピーカ取着部４８のネジ孔４８ａに螺挿することで、スピーカ３５は取付部材４７の後側に取り付けられる。また、取付部材４７に後側にスピーカ３５を取り付けた状態で、取付板３５ｂに突設した前記区画壁３５ｃの前端が取付部材４７の中心通孔４７ａより外側の裏面に当接し(図８参照)、該取付部材４７を境として出力部３５ａの前側と後側とが仕切られるようになっている。
【００３１】
前記取付部材４７の前面には、図９に示す如く、前方に突出すると共にネジ孔５０ａが形成された基板取着部５０が周方向に離間して複数(実施例では２つ)形成されると共に、周方向に隣り合う基板取着部５０,５０の間に基板用位置決め突起５１が夫々前方に向けて突設されている。そして、取付部材４７の前側に、後述するように基板取着部５０および基板用位置決め突起５１を介して前記発光基板３８が取り付けられるようになっている。なお、取付部材４７における中心通孔４７ａの内径は、図８に示す如く、前カバー体４０の内壁４３における後端側の内径より大きく設定されている。
【００３２】
前記取付部材４７の外周面に、図９に示す如く、前記前カバー体４０の位置決め部４２ｃが嵌合する位置決め用切欠部４７ｂが形成されている。また、取付部材４７の後面に、前記後カバー体４１の位置決め凹部４５ｂに嵌合する位置決め突部４７ｃが周方向に離間して形成されている(図１０参照)。そして、取付部材４７に対して前カバー体４０は、位置決め部４２ｃを位置決め用切欠部４７ｂに嵌合することで位置めされると共に、取付部材４７に対して後カバー体４１は、位置決め凹部４５ｂに位置決め突部４７ｃを嵌合することで位置決めされるようになっている。
【００３３】
(発光基板３８について)
前記発光基板３８は、前記スピーカ３５の出力部３５ａの外形寸法以上の内径に設定されたリング体５２,５３が２つ連結されたフレキシブル基板を、両リング体５２,５３の中心通孔(通孔)５２ａ,５３ａを前後方向に整列した状態で両リング体５２,５３が前後に重なるように折り畳んで構成される。そして、図９または図１０に示す如く、前側に位置する第１リング体５２の前面に第１ＬＥＤ３７ａが周方向に離間して複数実装されると共に、後側に位置する第２リング体５３の後面に第２ＬＥＤ３７ｂが周方向に離間して複数実装されている。また、前記第２リング体５３からフレキシブル配線５５が導出し、該フレキシブル配線５５が、後カバー体４１に配設された後述する中継基板６１に接続され、該フレキシブル配線５５および中継基板６１を介して接続する統括制御装置(図示せず)によって、第１ＬＥＤ３７ａと第２ＬＥＤ３７ｂとが個別に制御されるよう構成してある。
【００３４】
実施例では、前側の第１リング体５２と後側の第２リング体５３とは、合成樹脂等の絶縁材料によりリング状に形成された絶縁板５４を挟んで重ねられ、両リング体５２,５３の対向面に露出する回路同士が接触するのを絶縁板５４で防止するよう構成される。なお、絶縁板５４に形成された中心通孔５４ａの内径は、リング体５２,５３(発光基板３８)の中心通孔５２ａ,５３ａの内径と略同じに設定されると共に、該絶縁板５４の外径もリング体５２,５３(発光基板３８)の外径と略同じに設定してある。
【００３５】
前記発光基板３８(リング体５２,５３)の内周には、前記取付部材４７に設けた基板取着部５０および基板用位置決め突起５１と対応する位置の夫々に、ネジ用凹部５２ｂ,５３ｂおよび位置決め用凹部５２ｃ,５３ｃが形成されている。また、前記絶縁板５４に、発光基板３８(リング体５２,５３)に設けたネジ用凹部５２ｂ,５３ｂおよび位置決め用凹部５２ｃ,５３ｃと対応する位置に、ネジ用凹部５４ｂおよび位置決め用凹部５４ｃが夫々形成されている。なお、発光基板３８(リング体５２,５３)のネジ用凹部５２ｂ,５３ｂおよび絶縁板５４のネジ用凹部５４ｂは、ネジにおける軸部の挿通は許容するが、頭部の挿通は許容しない寸法で前後に開放している。そして、前記取付部材４７の基板用位置決め突起５１を発光基板３８および絶縁板５４の位置決め用凹部５２ｃ,５３ｃ,５４ｃに嵌合した状態で、発光基板３８および絶縁板５４のネジ用凹部５２ｂ,５３ｂ,５４ｂに前側から挿通したネジを基板取着部５０のネジ孔５０ａに螺挿することで、絶縁板５４を挟持した発光基板３８が取付部材４７に位置決め固定される。なお、取付部材４７に設けた一方の基板用位置決め突起５１と他方の基板用位置決め突起５１の形状が異なるように設定されると共に、各基板用位置決め突起５１の形状に合わせて発光基板３８および絶縁板５４における位置決め用凹部５２ｃ,５３ｃ,５４ｃの形状が設定されて、取付部材４７に対して発光基板３８は適正な位置でのみ取り付け可能に構成してある。
【００３６】
前記発光基板３８が前側に取り付けられると共に前記スピーカ３５が後側に取り付けられた取付部材４７は、スピーカ３５が後カバー体４１の内部に収容されると共に、該後カバー体４１と前カバー体４０とで前後から挟持された状態でケース３６に取り付けられる。そして、取付部材４７が後カバー体４１と前カバー体４０とにより挟持された取付け状態で、図８に示す如く、前記発光基板３８は、前カバー体４０における外壁４２と内壁４３との間の空間(収容空間Ｓ１を構成する空間)に収容されるようになっている。すなわち、前記発光基板３８は、前記スピーカ３５の出力部３５ａより前側において、該発光基板３８(リング体５２,５３)の中心通孔５２ａ,５３ａを出力部３５ａと前後方向に整列し、該出力部３５ａと発光基板３８自体が前後に重ならない状態で前記ケース３６の収容空間Ｓ１に収容されて、出力部３５ａから出力される音の量や質を低下させることがないよう構成してある。また、外壁４２と内壁４３との間の空間に収容された発光基板３８では、該発光基板３８の前面(第１リング体５２の前面)に実装した第１ＬＥＤ３７ａからの光が前カバー体４０に向けて照射されると共に、該発光基板３８の後面(第２リング体５３の後面)に実装した第２ＬＥＤ３７ｂからの光が取付部材４７を介して後カバー体４１に向けて照射されるようになっている。
【００３７】
前記前カバー体４０における内壁４３の後端開口とスピーカ３５の出力部３５ａとの間には、多数の通孔が開設された保護部材５６が、内壁４３の後端と取付部材４７とで挟持された状態で配設される。すなわち、図７に示す如く、スピーカ３５の出力部３５ａの前側は、保護部材５６で保護されている。
【００３８】
(ケース取着部３９について)
前記後カバー体４１に設けられた前記ケース取着部３９は、該後カバー体４１の後端下部に設けられた複数の第１ネジ固定部(ネジ固定部)５７と、後カバー体４１の外周面に設けられた係合部５８とから基本的に構成される。すなわち、図１０に示す如く、後カバー体４１の後端下部に、前記中継基板６１を収容可能な基板設置部６０を画成する壁部５９が外方に向けて突設されており、この壁部５９の複数箇所(実施例では４箇所)に、ネジ孔５７ａが形成された前記第１ネジ固定部５７が、壁部５９の突出端より更に外方に突出して設けられている。また、壁部５９で画成される前記基板設置部６０には、前記発光基板３８から導出するフレキシブル配線５５およびスピーカ３５から導出する配線(図示せず)が接続される中継基板６１が着脱自在に取り付けられるよう構成してある(図８参照)。そして、該中継基板６１が、前記遊技盤１２の裏側に配設された統括制御装置に接続されて、該統括制御装置の制御下に前記第１ＬＥＤ３７ａ,第２ＬＥＤ３７ｂおよびスピーカ３５が制御されるようになっている。
【００３９】
前記係合部５８は、図７において放音口４３ａを挟んで左側に位置する第１係合片５８ａおよび右側に位置する第２係合片５８ｂを備え、両係合片５８ａ,５８ｂが、前記前枠１５の第２スピーカ設置部６３に設けた被係合部６９,７０(後述)に係脱自在に係合することで、第２スピーカユニット３４が第２スピーカ設置部６３に位置決め保持されるよう構成される(図１６,図１７参照)。また、第１係合片５８ａおよび第２係合片５８ｂは、何れも板状で前側から後側に向かうにつれて上側に変位するよう斜めに設けられている。そして、右側の第２スピーカユニット３４においては、対応する第２スピーカ設置部６３に対して該第２スピーカユニット３４を時計方向に回転することで、両係合片５８ａ,５８ｂが被係合部６９,７０に係合して位置決めされると共に、反時計方向に回転することで被係合部６９,７０に対する両係合片５８ａ,５８ｂの係合が解除されるよう構成してある。また、前記第１係合片５８ａおよび第２係合片５８ｂを傾斜して形成したことで、係合片５８ａ,５８ｂと被係合部６９,７０とが係合した状態で、第２スピーカユニット３４は、前記放音口４３ａが前記前枠１５における窓口１５ａの正面中央側に向けて斜めに向く姿勢となるよう構成される(図１参照)。すなわち、右側の第２スピーカユニット３４を対応する右側の第２スピーカ設置部６３に取り付けた状態で、当該第２スピーカユニット３４は、放音口４３ａが前側に向けて左斜め下向きとなる姿勢となるよう設定される。
【００４０】
なお、実施例では、左側の第１スピーカユニット３３は、後述するように対応する第１スピーカ設置部６２に対して反時計方向に回転することで、両係合片５８ａ,５８ｂが被係合部６９,７０に係合して位置決めされると共に、時計方向に回転することで被係合部６９,７０に対する両係合片５８ａ,５８ｂの係合が解除されるよう構成してある。また、左側の第１スピーカユニット３３を対応する左側の第１スピーカ設置部６２に取り付けた状態で、当該第１スピーカユニット３３は、放音口４３ａが前側に向けて右斜め下向きとなる姿勢となるよう設定される。
【００４１】
(スピーカ設置部６２,６３について)
前記前枠１５に設けた左右のスピーカ設置部６２,６３の構成は基本的には左右対称であるので、右側の第２スピーカ設置部６３の構成について説明し、左側の第１スピーカ設置部６２の同一部位には同じ符号を付して詳細説明は省略する。
【００４２】
前記第２スピーカ設置部６３は、図３,図４,図１２等に示す如く、前方に開口すると共に後側に向けて略半球状に凹むように形成された収容部６４が設けられ、該収容部６４に前記第２スピーカユニット３４の後半部が収容された状態で着脱自在に取り付けられるようになっている。第２スピーカ設置部６３における収容部６４の後側を画成する後壁６５に、前記第２スピーカユニット３４の基板設置部６０を後側に露出する開口部６５ａ(図１３参照)が設けられると共に、該開口部６５ａの周囲に、前後方向に貫通する通孔６６ａが形成された第２ネジ固定部６６が、前記後カバー体４１に設けた第１ネジ固定部５７と対応する数でかつ対応する間隔で設けられている。また、第２スピーカ設置部６３における収容部６４の外周囲を画成する周壁６８には、周方向に離間して後カバー体４１に設けた第１係合片５８ａおよび第２係合片５８ｂに対応する位置に被係合部６９,７０が設けられ、第２スピーカユニット３４は、被係合部６９,７０に係合片５８ａ,５８ｂが係合した状態で第２ネジ固定部６６にネジ止め固定されるよう構成される。
【００４３】
前記第２スピーカ設置部６３の後部には、左側(第１照明装置３１側)に開口する配線用切欠部７５(図１３参照)が形成され、前記第２スピーカユニット３４に配設した中継基板６１から導出する配線(図示せず)が配線用切欠部７５を介して後方に延出することなく第１照明装置３１の発光基板(図示せず)に接続されるようになっている。なお、第１スピーカ設置部６２の後部には、図１５に示す如く、配線用切欠部７５が左側および右側に開口するように形成され、右側の配線用切欠部７５は、第１スピーカユニット３３に配設した中継基板６１と第１照明装置３１の発光基板とを接続する配線を後方に延出させることなく引き回すのを許容するべく機能する。また、第１スピーカ設置部６２における左側の配線用切欠部７５は、中継基板６１から導出して図示しない統括制御装置に接続するための配線を、後方に延出させることなく引き回すのを許容するべく機能する。なお、図１３,図１５において符号７６は、中継基板６１と発光基板とを接続する配線を保持する配線フックである。
【００４４】
(第２ネジ固定部６６について)
前記第２ネジ固定部６６には、図１１(ａ),(ｂ)に示す如く、前記通孔６６ａを囲うように略Ｕ字状のガイド壁７１が後壁６５に突設され、該ガイド壁７１によって前方(第２スピーカユニット３４のケース３６側)に向けて開放する弧状溝７１ａが形成される。また、ガイド壁７１によって画成される弧状溝７１ａは、第２スピーカ設置部６３に対して第２スピーカユニット３４を着脱する際の回転方向の一方に向けて開口し、該開口を介して第２スピーカユニット３４に設けた第１ネジ固定部５７の突出端が弧状溝７１ａに対して周方向に出入りし得るよう構成される。また、第２スピーカ設置部６３における全ての第２ネジ固定部６６に設けた弧状溝７１ａの周方向の開口は、第２スピーカユニット３４の回転方向で同じ向きに開放している。実施例のパチンコ機１０では、右側の第２スピーカ設置部６３の第２ネジ固定部６６においては、通孔６６ａに対して反時計方向の前側に向けて弧状溝７１ａの開口が開放する。そして、当該右側の第２スピーカ設置部６３に対して右側の第２スピーカユニット３４の各第１ネジ固定部５７を対応する第２ネジ固定部６６の弧状溝７１ａに挿入して該第２スピーカユニット３４を時計方向に回転することで、第１ネジ固定部５７が弧状溝７１ａ(ガイド壁７１)に沿って移動し、該第１ネジ固定部５７が弧状溝７１ａを画成するガイド壁７１の閉塞端(端縁)に当接して移動が規制された位置(係合位置)で、第１ネジ固定部５７のネジ孔５７ａが、第２ネジ固定部６６の通孔６６ａの前側に整列するように位置決めされる。前記ガイド壁７１の閉塞端は、円筒状に形成されている第１ネジ固定部５７の外周面に所要領域に亘って当接可能な弧状に形成されており、第２スピーカユニット３４の係合位置において、第１ネジ固定部５７は第２スピーカユニット３４の回転方向のみでなく軸方向と交差する径方向の移動がガイド壁７１によって規制されるようになっている。
【００４５】
なお、実施例では、左側の第１スピーカ設置部６２の第２ネジ固定部６６の弧状溝７１ａの開口は、通孔６６ａに対して時計方向の前側に向けて開放するよう設定される。そして、当該左側の第１スピーカ設置部６２に対して対応する第１スピーカユニット３３の各第１ネジ固定部５７を対応する第２ネジ固定部６６の弧状溝７１ａに挿入して該第１スピーカユニット３３を反時計方向に回転することで、第１ネジ固定部５７が弧状溝７１ａ(ガイド壁７１)に沿って移動し、該第１ネジ固定部５７が弧状溝７１ａを画成するガイド壁７１の閉塞端(端縁)に当接して移動が規制された位置(係合位置)で、第１ネジ固定部５７のネジ孔５７ａが、第２ネジ固定部６６の通孔６６ａの前側に整列するように位置決めされるよう構成してある。
【００４６】
(被係合部６９,７０について)
前記第２スピーカ設置部６３に設けた被係合部６９,７０は、前記収容部６４を挟んで略対向する位置に設けられた第１の被係合部６９および第２の被係合部７０から構成される。収容部６４の左側(左側の第１スピーカ設置部６２では右側(図１４参照))に設けられる第１の被係合部６９は、図１２(ｂ)に示す如く、前記周壁６８から内側(収容部６４側)に突出する第１被係合突部６９ａと、該第１被係合突部６９ａから前側に所定間隔離間すると共に上側に偏倚した位置で周壁６８から内側に突出する第２被係合突部６９ｂとからなり、前後方向における両被係合突部６９ａ,６９ｂの間に第１隙間６９ｃを画成している。これに対し、収容部６４の右側(左側の第１スピーカ設置部６２では左側(図１４参照))に設けられる第２の被係合部７０は、図１２(ｃ)に示す如く、前記周壁６８の前端部に後側に向けて凹む切欠部７０ａが形成されると共に、該切欠部７０ａの前端面より前側に所定間隔離間すると共に下側に偏倚した位置で周壁６８から内側に突出する第３被係合突部７０ｂとからなり、切欠部７０ａの前面と第３被係合突部７０ｂとの間に第２隙間７０ｃを画成している。
【００４７】
前記第１隙間６９ｃおよび第２隙間７０ｃの前後寸法は、前記後カバー体４１に設けた第１係合片５８ａおよび第２係合片５８ｂの厚み寸法に対応するよう設定される。そして、右側の第２スピーカ設置部６３に対して右側の第２スピーカユニット３４は、第１係合片５８ａを第１隙間６９ｃの下側に臨ませると共に、第２係合片５８ｂを第２隙間７０ｃの上側に臨ませた状態で、該第２スピーカユニット３４を時計方向に回転することで、第１係合片５８ａが第１隙間６９ｃに嵌合して第１の被係合部６９(第１被係合突部６９ａおよび第２被係合突部６９ｂ)に係合すると共に、第２係合片５８ｂが第２隙間７０ｃに嵌合して第２の被係合部７０(切欠部７０ａの前面および第３被係合突部７０ｂ)に係合して、当該第２スピーカユニット３４が位置決めされるようになっている。また、第１および第２係合片５８ａ,５８ｂが対応する被係合部６９,７０に係合した係合位置において、前述したように第１ネジ固定部５７のネジ孔５７ａが、第２ネジ固定部６６の通孔６６ａの前側に整列するようになっている。そして、第２スピーカユニット３４を反時計方向に回転することで、第１係合片５８ａと第１の被係合部６９との係合が解除されると共に、第２係合片５８ｂと第２の被係合部７０との係合が解除されるよう構成される。また、第１および第２係合片５８ａ,５８ｂが対応する隙間６９ｃ,７０ｃに嵌合していない状態で、第１係合片５８ａが第１被係合突部６９ａの前面に当接すると共に、第２係合片５８ｂが切欠部７０ａの前面に当接している係合解除位置において、前記第１ネジ固定部５７が対応する弧状溝７１ａにおける開口側に偏倚した位置に挿入されるように設定されている。
【００４８】
なお、左側の第１スピーカ設置部６２に対する第１スピーカユニット３３の着脱に際しての回転方向は右側の第２スピーカ設置部６３に対する第２スピーカユニット３４の回転方向とは逆であって、第１スピーカ設置部６２に対して第１スピーカユニット３３を反時計方向に回転することで、第１係合片５８ａと第１の被係合部６９とが係合すると共に、第２係合片５８ｂと第２の被係合部７０とが係合する。また、第１スピーカユニット３３を時計方向に回転することで、第１係合片５８ａと第１の被係合部６９との係合が解除されると共に、第２係合片５８ｂと第２の被係合部７０との係合が解除されるようになっている。
【００４９】
(第１装飾カバー７２について)
前記第１装飾カバー７２は、図５,図６に示す如く、前記前枠１５の前上枠部２８ａの前側全体を覆い得る横長で後方に開口する箱状に形成されており、該第１装飾カバー７２を前上枠部２８ａに前側から取り付けることで、前記第１照明装置３１および左右のスピーカ設置部６２,６３に取り付けられているスピーカユニット３３,３４を前側から覆い得るよう構成される。前記第１装飾カバー７２における各スピーカ設置部６２,６３の前側に臨む部位に、該スピーカ設置部６２,６３に取り付けられているスピーカユニット３３,３４の放音口４３ａを前側に臨ませるスピーカ用開口部(前面開口部)７２ａが夫々開設されている(図３,図４,図１７参照)。このスピーカ用開口部７２ａは、スピーカ設置部６２,６３に取り付けられて、前記窓口１５ａの正面中央を向く傾斜姿勢となっているスピーカユニット３３,３４の前カバー体４０の外周面に当接するよう三次元形状に形成されている。また、スピーカ用開口部７２ａの内周面が、前記前カバー体４０に被覆した前記パッキン４４に当接してシールされ、これによって第１装飾カバー７２と前上枠部２８ａとの間に画成した音響空間Ｓ２を密閉するよう構成してある。なお、第１装飾カバー７２で覆われたスピーカユニット３３,３４は、音響空間Ｓ２に臨んでいる前カバー体４０の一部および後カバー体４１の一部が、光透過性の第１装飾カバー７２を透して外側から視認し得るよう構成される。
【００５０】
前記音響空間Ｓ２は、図３,図４に示す如く、前記前上枠部２８ａの前側に第１装飾カバー７２を取り付けることで、両部材２８ａ,７２により内部画成される空間であって、前記スピーカ設置部６２,６３に取り付けたスピーカユニット３３,３４の前記音響用開口部４１ａが該音響空間Ｓ２に臨むようになっている。また、音響空間Ｓ２は、スピーカ設置部６２,６３に取り付けたスピーカユニット３３,３４の前記後カバー体４１に開設した音響用開口部４１ａが臨む上側の空間部分が、下側の空間部分より広くなるよう設定されている。
【００５１】
(実施例の作用)
次に、実施例に係るパチンコ機１０の作用につき説明する。
【００５２】
(スピーカ設置部６２,６３に対するスピーカユニット３３,３４の着脱について)
先ず、前記前枠１５のスピーカ設置部６２,６３に対するスピーカユニット３３,３４の取り付けについて、右側の第２スピーカ設置部６３に対応する第２スピーカユニット３４を取り付ける場合で説明する。前記第２スピーカユニット３４の後部側を第２スピーカ設置部６３の収容部６４に前側から臨ませて、該第２スピーカユニット３４の第１係合片５８ａを、前記第１の被係合部６９における第１隙間６９ｃの下側において第１被係合突部６９ａの前面に当接すると共に、該第２スピーカユニット３４の第２係合片５８ｂを前記第２の被係合部７０における第２隙間７０ｃの上側において切欠部７０ａの前面に当接させる。第１係合片５８ａおよび第２係合片５８ｂが対応する第１隙間６９ｃおよび第２隙間７０ｃに嵌合していない係合解除位置では、第２スピーカユニット３４における各第１ネジ固定部５７が第２スピーカ設置部６３の対応する第２ネジ固定部６６に設けた弧状溝７１ａの開口側に偏倚した位置に夫々挿入される。この状態で、第２スピーカユニット３４を時計方向に回転すると、第１係合片５８ａが第１隙間６９ｃに嵌合して第１の被係合部６９(第１被係合突部６９ａおよび第２被係合突部６９ｂ)に係合すると共に、第２係合片５８ｂが第２隙間７０ｃに嵌合して第２の被係合部７０(切欠部７０ａの前面および第３被係合突部７０ｂ)に係合する。また、各第１ネジ固定部５７が対応する弧状溝７１ａの閉塞端(弧状溝７１ａを画成するガイド壁７１)に夫々当接することで第２スピーカユニット３４の回転が規制された係合位置において、各第１ネジ固定部５７のネジ孔５７ａが、対応する第２ネジ固定部６６の通孔６６ａの前側に夫々整列する。そして、各第２ネジ固定部６６の通孔６６ａに後側から挿通したネジを対応する第１ネジ固定部５７のネジ孔５７ａに夫々螺挿することで、第２スピーカ設置部６３に対して第２スピーカユニット３４が位置決め固定される(図１６,図１７参照)。
【００５３】
また、前記ネジを弛み外して第１ネジ固定部５７と第２ネジ固定部６６との固定を解除したもとで、第２スピーカユニット３４を反時計方向に回転させれば、第１係合片５８ａと第１の被係合部６９および第２係合片５８ｂと第２の被係合部７０との係合が夫々解除され、該第２スピーカユニット３４を第２スピーカ設置部６３から取り外すことができる。なお、右側の第１スピーカ設置部６２に対する対応する第１スピーカユニット３３の着脱は、該第２スピーカユニット３４の場合とは回転方向が逆であるだけで、第１スピーカユニット３３の正逆回転によって第１スピーカ設置部６２に対して同様に着脱し得る。
【００５４】
すなわち、前記前枠１５に設けたスピーカ設置部６２,６３に対して、前記スピーカ３５およびＬＥＤ３７ａ,３７ｂを収容したスピーカユニット３３,３４を回転変位するだけで簡単に着脱することができ、着脱に要する時間を短縮し得る。また、スピーカ設置部６２,６３に取り付けられたスピーカユニット３３,３４は、該ユニット３３,３４の後部に設けた前記第１ネジ固定部５７がスピーカ設置部６２,６３の第２ネジ固定部６６にネジ止めされるだけでなく、第１ネジ固定部５７より前側に離間した位置のケース外周に設けた係合部５８(第１係合片５８ａ,第２係合片５８ｂ)が、スピーカ設置部６２,６３の被係合部６９,７０に係合して確実に位置決め固定されているので、該スピーカユニット３３,３４にガタ付きが発生するのは抑制され、前記スピーカ３５から出力される音質低下を防止することができる。更に、スピーカユニット３３,３４の第１ネジ固定部５７は、スピーカ設置部６２,６３の第２ネジ固定部６６にネジ止め固定されているだけでなく、該第１ネジ固定部５７の外周が弧状溝７１ａを画成するガイド壁７１に当接することで軸方向と交差する方向への移動も規制されているので、スピーカユニット３３,３４の確実な位置決めおよびガタ付き防止を図り得る。
【００５５】
前記左右のスピーカ設置部６２,６３にスピーカユニット３３,３４を取り付けたもとで、前記第１装飾カバー７２を前枠１５の前上枠部２８ａに前側から取り付けることで、各スピーカユニット３３,３４は、第１装飾カバー７２の対応するスピーカ用開口部７２ａから放音口４３ａが前側(外側)に臨む状態で、該スピーカユニット３３,３４の大部分が前記音響空間Ｓ２に収容される(図３,図４参照)。また、第１装飾カバー７２におけるスピーカ用開口部７２ａの内周面が、スピーカユニット３３,３４の外周に設けた前記パッキン４４に当接してシールされるので、前記音響空間Ｓ２は密閉される。
【００５６】
前記中枠１３の前面側に設けられた前記操作ハンドル１９を遊技者が回転操作すると、前記打球発射装置１８から発射されたパチンコ球が前記遊技盤１２の遊技領域１２ａ内に打ち出される。遊技領域１２ａを流下するパチンコ球が前記始動入賞装置に入賞することを契機として、前記図柄表示装置１４での図柄変動演出が開始され、図柄変動演出の結果、図柄表示装置１４の表示部に所定の図柄組み合わせが表示されると大当りが発生する。大当りが発生すると、図柄表示装置１４に表示された図柄組み合わせに応じて、前記遊技盤１２に設けられた特別入賞装置が開放されると共に、図柄表示装置１４において大当り演出が行なわれる。また、パチンコ機１０では、図柄表示装置１４での演出や各種遊技状態に応じて、前記下部スピーカ２７や前枠１５の前上枠部２８ａに設けたスピーカユニット３３,３４の各スピーカ３５から各種効果音が出力されたり、前枠１５に配設した各照明装置３１,３２およびスピーカユニット３３,３４の前記ＬＥＤ３７ａ,３７ｂが点灯・点滅するよう制御されることで、遊技の臨場感や興趣が高められる。
【００５７】
(スピーカ３５の作用について)
前記前枠１５の窓口１５ａより上側の左右角隅部に配設されている各スピーカユニット３３,３４は、図１に示す如く、前記放音口４３ａが窓口１５ａの正面中央を向いているから、前記スピーカ３５の出力部３５ａから出力された音は、遊技を行なっている遊技者の頭部近傍に向けて放出され、前記図柄表示装置１４の表示部を注視している遊技者に対して効果音を効果的に聞かせることができ、演出効果を向上し得る。なお、スピーカユニット３３,３４に設けた第１係合片５８ａおよび第２係合片５８ｂを、前側から後側に向かうにつれて上側に偏倚するように形成し、該第１係合片５８ａおよび第２係合片５８ｂとスピーカ設置部６２,６３に設けた被係合部６９,７０との係合作用によって、スピーカユニット３３,３４を、放音口４３ａが窓口１５ａの正面中央に向けられた姿勢に簡単に位置決めすることができる。また、スピーカユニット３３,３４をスピーカ設置部６２,６３に取り付けるためのケース取着部３９を、図６に示す如く、該ユニット３３,３４を構成する後カバー体４１の後部に設けたので、スピーカユニット３３,３４に収容したスピーカ３５の出力部３５ａをできる限り前方に位置させることができ、音響効果を向上し得る。
【００５８】
また、前記スピーカユニット３３,３４では、図３,図４等に示す如く、前記スピーカ３５の出力部３５ａの前側に発光基板３８が臨まないので、発光基板３８によってスピーカ３５の音量や音質が低下することはない。なお、スピーカ３５の出力部３５ａの前側は、図７に示す如く、多数の通孔が開設された保護部材５６で覆われているので、音量や音質を低下させることなくスピーカ３５に対する悪戯を防止することができる。更に、スピーカユニット３３,３４におけるスピーカ３５が収容される収容空間Ｓ１を、前枠１５と第１装飾カバー７２とで画成された前記音響空間Ｓ２に連通するよう構成してあるので、該音響空間Ｓ２によってスピーカ３５の背面側の空間容積を大きくすることができ、小型のスピーカユニット３３,３４を用いて音質のよい効果音を出すことができる。また、スピーカユニット３３,３４を小型化し得るので、該ユニット３３,３４を取り付けるためのスピーカ設置部６２,６３を設ける領域を小さくすることができ、前枠１５側の設計の自由度を向上し得る。更に、スピーカユニット３３,３４を小型化し得るので、該ユニット３３,３４の取り扱いが容易となる。
【００５９】
前記スピーカユニット３３,３４の音響用開口部４１ａは、図３,図４に示す如く、音響空間Ｓ２における広い空間部分が確保されている部位に開口しているので、収容空間Ｓ１と音響空間Ｓ２との間での空気流動の円滑化を図ることができ、音質を向上し得る。また、音響用開口部４１ａは、音響空間Ｓ２における広い空間部分に臨む位置において複数開設したので、ケース自体の強度を確保しつつ音響用開口部４１ａの総開口面積を大きくして、収容空間Ｓ１と音響空間Ｓ２との間での空気流動の円滑化を図って音質を向上し得る。更に、前記スピーカ３５の放音口４３ａを外側に臨ませるための第１装飾カバー７２におけるスピーカ用開口部７２ａの内周面と、スピーカユニット３３,３４のケース３６の外周面との間はパッキン４４でシールされているから、前記音響空間Ｓ２からの音漏れを防止して音質低下を抑制し得る。更にまた、前記スピーカ３５の前面に設けた区画壁３５ｃの前端を取付部材４７における中心通孔４７ａの外側の裏面に当接し(図８参照)、出力部３５ａの前面側と背面側とを該区画壁３５ｃによって確実に仕切るようにしたので、出力部３５ａから前面側に出る音が背面側に出る音によって打ち消されて音質が劣化したり音量が小さくなるのを防止することができる。
【００６０】
ここで、近年のパチンコ機１０では、遊技盤１２や図柄表示装置１４の大型化に伴い、前枠１５における窓口１５ａの開口面積が大きくなり、該窓口１５ａの上側や左右横側の枠部２８ａ,２８ｂ,２８ｃ,２８ｄに大きな遊技部品を配設するための設置スペースを確保するのが困難となっている。しかしながら、前枠１５の角隅部は、他の部位に比較して広い設置スペースを確保することができ、本実施例のパチンコ機１０では、前枠１５の角隅部にスピーカユニット３３,３４を取り付ける構成を採用することで、大きな音響空間Ｓ２を確保することができ、より音質を向上することができる。
【００６１】
(ＬＥＤ３７ａ,３７ｂの作用について)
前記スピーカユニット３３,３４において、前記発光基板３８に実装した第１ＬＥＤ３７ａを発光すると、該光は光透過性を有する前カバー体４０に向けて照射され、前カバー体４０が明輝する。また、発光基板３８に実装した第２ＬＥＤ３７ｂを発光すると、該光は光透過性を有する後カバー体４１に向けて照射され、後カバー体４１が明輝する。前記第１装飾カバー７２で覆われているスピーカユニット３３,３４は、前カバー体４０における音響空間Ｓ２に臨んでいる部分および該音響空間Ｓ２に臨んでいる後カバー体４１を外側から視認し得るよう構成してあるので、スピーカ３５の出力部３５ａを挟んで前後に位置するカバー体４０,４１が何れも明輝するのを遊技者が見ることができ、スピーカ３５による音響効果と併せて光による装飾効果により遊技演出の興趣を向上し得る。また、前カバー体４０における外壁４２と内壁４３および後カバー体４１には、何れも光拡散処理が施されているから、第１ＬＥＤ３７ａおよび第２ＬＥＤ３７ｂから照射された光を拡散して両カバー体４０,４１の全体を明輝することができ、光装飾効果をより向上し得る。すなわち、実施例のパチンコ機１０では、スピーカユニット３３,３４の前側部分のみでなく、該ユニット３３,３４の全体を効果的に光で装飾することができる。
【００６２】
前記発光基板３８をリング状に形成し、その中心通孔５２ａ,５３ａに前記スピーカ３５の出力部３５ａが臨むようにしたので、該出力部３５ａの周囲にＬＥＤ３７ａ,３７ｂを効果的に配置することができ、出力部３５ａの周りを効果的に光で装飾し得る。また、発光基板３８は、図８に示す如く、前記出力部３５ａの前側に重なっていないので、該出力部３５ａから出力される音に影響を与えることはなく、スピーカ３５の音量や音質を低下することなく前記ＬＥＤ３７ａ,３７ｂでスピーカユニット３３,３４を光で装飾して演出効果を高めることができる。更に、発光基板３８は、前記前カバー体４０における外壁４２の内側に略ホーン形の放音口４３ａを画成するために形成された内壁４３と外壁４２との間に画成される空間に収容している。すなわち、音響効率を向上するための略ホーン形の放音口４３ａを形成することで画成される空間を、発光基板３８の収容部として利用することで、空間の有効利用が図られている。
【００６３】
ここで、実施例の発光基板３８を、２つのリング体５２,５３を接続したフレキシブル基板で構成したので、両リング体５２,５３に実装した前側に光を照射する第１ＬＥＤ３７ａと後側に光を照射する第２ＬＥＤ３７ｂとに対して共通の電源線および信号線を接続して対応することができ、配線数を低減し得ると共に薄形化を図り得る。また、両リング体５２,５３は、前記絶縁板５４を挟んで折り畳まれているので、両リング体５２,５３の対向面に露出する回路同士が接触することはない。更に、両リング体５２,５３の対向面を絶縁板５４の厚み分だけ離すことで、両リング体５２,５３を折り畳んだ状態で両リング体５２,５３を接続している接続部が必要以上に折り曲げられるのを防止することができ、該接続部での断線等を防ぎ得る。
【００６４】
(別実施例)
図１８は、別実施例のスピーカユニット７７を示すものであって、基本的な構成は前述した実施例と同じであるので、異なる部分についてのみ説明する。
【００６５】
図１８に示す如く、スピーカユニット７７を構成する発光基板３８は、前保持部材７８と後保持部材７９とにより挟持された状態で、前記後カバー体４１に収容したスピーカ３５の前側に臨むように取り付けられるよう構成される。前保持部材７８は、発光基板３８(リング体５２,５３)と外径が略同一に設定されたリング板であって、該前保持部材７８の中心通孔７８ａは、発光基板３８(リング体５２,５３)の中心通孔５２ａ,５３ａより僅かに小さく設定される。この前保持部材７８には、中心通孔７８ａに沿って環状に形成されて後方に向けて所定長さ延出する位置決め延部７８ｅが形成され、該位置決め延部７８ｅを発光基板３８および絶縁板５４の中心通孔５２ａ,５３ａ,５４ａに嵌合することで、発光基板３８と前保持部材７８とが位置決めされるようになっている。
【００６６】
前記前保持部材７８の前面には、発光基板３８の前面に実装した各第１ＬＥＤ３７ａと対応する位置に、前方に向けて突出する突部７８ｂが設けられている。また、前保持部材７８には、各突部７８ｂに対応する位置に前後に貫通する第１貫通孔７８ｃが形成されており、前保持部材７８の位置決め延部７８ｅを発光基板３８および絶縁板５４の中心通孔５２ａ,５３ａ,５４ａに嵌合すると共に、前保持部材７８を発光基板３８の前面(第１リング体５２の前面)に当接した状態で、前記各第１ＬＥＤ３７ａが対応する第１貫通孔７８ｃに収容されるよう構成してある。
【００６７】
前記後保持部材７９は、発光基板３８(リング体５２,５３)と内径および外径が略同一に設定されたリング板であって、該後保持部材７９の中心通孔７９ａが発光基板３８(リング体５２,５３)の中心通孔５２ａ,５３ａに整合し得るようになっている。また、後保持部材７９には、発光基板３８の後面に実装した各第２ＬＥＤ３７ｂと対応する位置に、前後に貫通する第２貫通孔７９ｂが形成されると共に、該後保持部材７９の後面に、中心通孔７９ａを囲うように環状に位置決め壁７９ｃが後方に向けて突設されている。そして、前保持部材７８と発光基板３８および後保持部材７９を、各中心通孔７８ａ,５２ａ,５３ａ,７９ａが整合するように前後に重ね合わせた状態で、これら部材７８,３８,７９が前記後カバー体４１にネジ止め固定される。なお、前保持部材７８と発光基板３８および後保持部材７９を後カバー体４１に固定した状態で、スピーカ３５の出力部３５ａが後保持部材７９における位置決め壁７９ｃの内側に臨むと共に、該位置決め壁７９ｃの後端が出力部３５ａの外側のスピーカ前面に当接して出力部３５ａの前面側と背面側とが位置決め壁７９ｃによって仕切られるようになっている。
【００６８】
前記前保持部材７８の前側に、前記第１ＬＥＤ３７ａから照射される光を拡散する機能を有する光透過性の光拡散部材８０が配設されている。この光拡散部材８０は、前後の関係で重ねられる第１拡散部品８１と第２拡散部品８２とから構成され、両拡散部品８１,８２(光拡散部材８０)は、前記ケース３６の内部に取り付けた状態で、前記前カバー体４０における外壁４２と内壁４３との間の空間に収容される。そして、前記第１ＬＥＤ３７ａから前カバー体４０に向けて照射される光を、両拡散部品８１,８２によって拡散することで、前カバー体４０の広範囲を効果的に光で装飾し得るよう構成される。
【００６９】
前記光拡散部材８０において後側に位置する前記第１拡散部品８１は、全体としてリング状に形成された部品であって、前記前保持部材７８における各第１貫通孔７８ｃに対応する部位にレンズ部(光拡散部)８１ａを備えている。また、レンズ部８１ａは、第１拡散部品８１の後面より後方に突出する部分を有し、この後突出部８１ｂを第１貫通孔７８ｃに前側から嵌挿することで、第１拡散部品８１(レンズ部８１ａ)を第１ＬＥＤ３７ａの前側に正確に臨ませると共に、前保持部材７８(発光基板３８)に対する第１拡散部品８１の周方向の位置決めを行なうよう構成される。なお、後突出部８１ｂを第１貫通孔７８ｃの前側部分に嵌挿した状態で、該後突出部８１ｂが第１貫通孔７８ｃの後側部分に収容されている第１ＬＥＤ３７ａに接触しないよう設定されている。また、第１拡散部品８１の中心通孔８１ｃは、前保持部材７８の中心通孔７８ａより大きく設定される。
【００７０】
前記光拡散部材８０において前側に位置する第２拡散部品８２は、全体としてリング状に形成された部品であって、前記第１拡散部品８１におけるレンズ部８１ａの前側に臨む部位に、後側(レンズ部８１ａ)が開口するＵ字状に形成された拡散部(光拡散部)８２ａを備えている。また、第２拡散部品８２における外側の後端(実施例では拡散部８２ａの外側の後端)に、後方に向けて突出する位置決め突起８２ｂが周方向に離間して複数設けられると共に、前記前保持部材７８の外周部には、該位置決め突起８２ｂが嵌合可能な切欠部７８ｄが複数形成されている。すなわち、第２拡散部品８２は、各位置決め突起８２ｂを前保持部材７８の対応する切欠部７８ｄに嵌合することで、周方向の位置決めがなされるようになっている。なお、第２拡散部品８２の中心通孔８２ｃは、前保持部材７８の中心通孔７８ａより大きく設定される。
【００７１】
別実施例の前カバー体４０には、図１８に示す如く、前記外壁４２の内面に、前記第２拡散部品８２における拡散部８２ａに前側から当接し、該第２拡散部品８２と共に第１拡散部品８１の前方移動を規制する位置決め部８３が周方向に離間して複数設けられている。すなわち、別実施例のスピーカユニット７７では、前記前保持部材７８、発光基板３８および後保持部材７９を重ねて後カバー体４１の前側にネジ止め固定し、前保持部材７８の前側に光拡散部材８０を重ねた状態で、後カバー体４１の前側に前カバー体４０をネジ止め固定することで、前記位置決め部８３と前保持部材７８とに光拡散部材８０が挟持されて、該光拡散部材８０の前後移動が規制されるよう構成してある。
【００７２】
前記別実施例のスピーカユニット７７を採用したパチンコ機１０によれば、前記実施例と同等の作用効果を奏する。また、前記発光基板３８の前側に光拡散部材８０を配設してあるので、前記第１ＬＥＤ３７ａから前側に向けて照射された光は、該光拡散部材８０によって効率的に拡散され、前記前カバー体４０の広範囲を効果的に明輝することができる。しかも、光拡散部材８０を、２つの拡散部品８１,８２を前後に重ねて構成したから、第１ＬＥＤ３７ａからの光をより広範囲に拡散することができる。
【００７３】
前記後カバー体４１に対してネジ止め固定された前保持部材７８の前記第１ＬＥＤ３７ａが収容されている第１貫通孔７８ｃに、第１拡散部品８１のレンズ部８１ａが嵌挿されると共に、該前保持部材７８に形成した切欠部７８ｄに第２拡散部品８２の位置決め突起８２ｂが嵌合されて、前保持部材７８に対して両拡散部品８１,８２は周方向に位置決めされている。また、両拡散部品８１,８２は、前記後カバー体４１にネジ止めされた前カバー体４０の位置決め部８３と前保持部材７８とで前後に挟持されており、両拡散部品８１,８２のレンズ部８１ａおよび拡散部８２ａを第１ＬＥＤ３７ａに対して適正位置に保持することができる。すなわち、第１ＬＥＤ３７ａと両拡散部品８１,８２における光拡散部として機能するレンズ部８１ａおよび拡散部８２ａとの関係を維持して効果的な光装飾効果を図ることができる。
【００７４】
また別実施例では、前記後保持部材７９に設けた位置決め壁７９ｃの内側にスピーカ３５の出力部３５ａが臨むと共に、該位置決め壁７９ｃの後端を出力部３５ａの外側のスピーカ前面に当接するよう構成し、該出力部３５ａの前面側と背面側とを位置決め壁７９ｃによって仕切っている。従って、出力部３５ａから前面側に出る音が背面側に出る音によって打ち消されて音質が劣化したり音量が小さくなるのを防止することができる。
【００７５】
(変更例)
本願は前述した実施例や別実施例の構成に限定されるものではなく、その他の構成を適宜に採用することができる。
(1) 実施例では、発光基板の前後面にＬＥＤを実装して前カバー体および後カバー体に向けて光を照射するよう構成したが、発光基板の前面にのみＬＥＤが配設されたものであってもよい。
(2) 実施例では、発光基板を、２つのリング体を連結したフレキシブル基板で構成した場合で説明したが、硬質の基板を用いてもよい。また、硬質の基板を用いる場合において、一枚の基板でケースの前側部分のみを照明する構成、および二枚の基板でケースの前後両側を照明する構成を採用可能である。
(3) 実施例では、スピーカユニットに内部画成した収容空間を、ケースに開設した音響用開口部を介して前枠と第１装飾カバーとにより画成された音響空間に連通するよう構成したが、ケースに音響用開口部を開設しない構成を採用し得る。
(4) 実施例では、スピーカ設置部に対してスピーカユニットを回転変位して着脱する構成の場合で説明したが、前後方向に挿脱し、挿入状態でネジ止め固定する構成、挿入方向に対して交差する方向にスライドしてネジ止め固定する構成等、各種の構成を採用し得る。
(5) 実施例では、スピーカ設置部に対してスピーカユニットをネジ止め固定すると共に係合部と被係合部とを係合して位置決め固定するよう構成したが、ネジ止め固定のみの構成であってもよい。
(6) 実施例では、前カバー体を構成する外壁と内壁との間に画成される空間(収容空間の一部)に発光基板を収容するよう構成したが、ケースに内部画成された収容空間内であれば、発光基板の収容位置は前カバー体側に限定されるものではなく、後カバー体側であってもよい。
(7) 実施例では、スピーカの出力部より前側に発光基板を配設したが、該出力部と前後に重ならない位置であれば、出力部の後側に発光基板を配設する構成を採用し得る。
(8) 実施例では、前枠と、該前枠に取り付けられる第１装飾カバーとで音響空間を画成する構成で説明したが、前枠に一体的に第１装飾カバーを設けた構成であってもよい。
(9) 実施例では、前カバー体の内壁を内側に向けて凸となるように湾曲形成することで、前方に向かうにつれて拡開する放音口を画成しているが、内壁を外側に向けて凸となるように湾曲形成することで、前方に向かうにつれて拡開する放音口を画成する構成を採用し得る。
(10) 実施例では、前枠における上側の角隅部にスピーカユニットを取り付けた場合で説明したが、該スピーカユニットを取り付ける位置(スピーカ設置部を設ける位置)はこれに限られるものでなく、例えば前枠の上部中央や側部に設けるものであってもよい。そして、前枠に対するスピーカユニットの取り付け位置に応じて、該スピーカユニットの放音口の向きを設定すればよい。
(11) 実施例では、発光基板をリング状に形成したが、該発光基板の形状はリング状に限定されるものではなく、複数に分割された発光基板を、スピーカの出力部の前側に重ならないように配置する構成を採用し得る。
(12) 実施例では、スピーカ設置部に取り付けるための取着部を後カバー体に設けたが、前カバー体に設ける構成を採用し得る。また、後カバー体にネジ止め用の第１ネジ固定部を設けると共に、前カバー体に係合部を設け、スピーカ設置部には対応する位置に第２ネジ固定部および被係合部を設ければよい。
(13) 別実施例では、光拡散部材を前後に重ねた２つの拡散部品で構成したが、１つの拡散部品のみで構成したものであってもよい。
(14) 遊技機としては、パチンコ機に限られるものではなく、アレンジボール機やパチンコ球を用いたスロットマシン等、その他各種の遊技機であってもよい。
【符号の説明】
【００７６】
１５ 前枠(前面部材)
３１ 照明装置(装置)
３３ 第１スピーカユニット(スピーカユニット)
３４ 第２スピーカユニット(スピーカユニット)
３５ スピーカ
３５ａ 出力部
３６ ケース
３７ａ 第１ＬＥＤ(発光手段)
３８ 発光基板
３９ ケース取着部(取着部)
４０ 前カバー体
４１ 後カバー体
４３ａ 放音口
５５ フレキシブル配線(配線)
５７ 第１ネジ固定部
５７ａ ネジ孔
５８ 係合部
５９ 壁部
６０ 基板設置部
６１ 中継基板
６２ 第１スピーカ設置部(スピーカ設置部)
６３ 第２スピーカ設置部(スピーカ設置部)
６６ 第２ネジ固定部
６６ａ 通孔
６９ 第１の被係合部(被係合部)
７０ 第２の被係合部(被係合部)
７１a 弧状溝
７５ 配線用切欠部(切欠部)
７７ スピーカユニット
Ｓ１ 収容空間
【図１】
0005798512.tif 000002
【図２】
0005798512.tif 000003
【図３】
0005798512.tif 000004
【図４】
0005798512.tif 000005
【図５】
0005798512.tif 000006
【図６】
0005798512.tif 000007
【図７】
0005798512.tif 000008
【図８】
0005798512.tif 000009
【図９】
0005798512.tif 000010
【図１０】
0005798512.tif 000011
【図１１】
0005798512.tif 000012
【図１２】
0005798512.tif 000013
【図１３】
0005798512.tif 000014
【図１４】
0005798512.tif 000015
【図１５】
0005798512.tif 000016
【図１６】
0005798512.tif 000017
【図１７】
0005798512.tif 000018
【図１８】
0005798512.tif 000019